(57)【要約】【課題】機器の状態に応じて報知内容を設定できる報知システム、報知内容設定方法、及びプログラムを提供する。【解決手段】報知システム１は、コントローラ１０と、モニタ装置４０とを備える。コントローラ１０は、施設１００に設けられた複数のセンサ３０から状態を表す状態信号を受信する。モニタ装置４０は、複数のセンサ３０の各々について、センサ３０の名称と、センサ３０の状態信号に応じた報知内容とを対応付けて設定する。コントローラ１０は、センサ３０から受信した状態信号に対応付けられた報知内容をモニタ装置４０に出力し、モニタ装置４０が報知内容の報知を行う。【選択図】図１
2017175531.tif 000002
【特許請求の範囲】
【請求項１】
施設に設けられた機器から機器の状態を表す状態信号を受信する受信部と、
前記機器の名称と前記機器の前記状態信号に応じた報知内容とを対応付けて設定する設定部と、
前記受信部によって受信された前記状態信号に対応付けられた前記報知内容を報知部に出力する出力部と、を備える、
ことを特徴とする報知システム。
【請求項２】
前記状態信号は、第１状態を示す第１状態信号と、第２状態を示す第２状態信号と、を含み、
前記設定部は、前記第１状態信号に応じた第１報知内容と、前記第２状態信号に応じた第２報知内容とを、それぞれ設定する、
ことを特徴とする請求項１に記載の報知システム。
【請求項３】
前記施設には前記機器が複数設けられており、
前記設定部は、前記複数の機器のうち設定対象の機器の状態信号に対応する報知内容として、前記複数の機器のうち前記設定対象以外の機器の状態信号に応じた報知内容を設定する、
ことを特徴とする請求項１又は２に記載の報知システム。
【請求項４】
前記施設には資源を消費する負荷機器が設けられ、
前記受信部は、前記負荷機器の動作状態を示す動作状態信号を取得しており、
前記設定部は、前記機器の状態信号に対応する報知内容として、前記負荷機器の動作状態信号に応じた報知内容を設定する、
ことを特徴とする請求項１〜３のいずれか１項に記載の報知システム。
【請求項５】
前記施設には電力を分配する複数の分岐回路が設けられ、
前記設定部は、前記複数の分岐回路のうち前記機器が接続されている分岐回路に関する回路情報と、前記機器の設置場所に関する場所情報とのうちの少なくとも１つを、前記機器の名称と前記報知内容とに対応付けて設定する、
ことを特徴とする請求項１〜３のいずれか１項に記載の報知システム。
【請求項６】
前記設定部は、前記回路情報と前記場所情報とのうちの少なくとも１つは、電力計測のために入力された情報を使用する、
ことを特徴とする請求項１〜３のいずれか１項に記載の報知システム。
【請求項７】
前記設定部は、前記報知内容を文字で入力するために用いられる文字入力部を有する、
ことを特徴とする請求項１〜６のいずれか１項に記載の報知システム。
【請求項８】
前記設定部は、提示された複数の選択項目の中から前記報知内容を選択するために用いられる選択部を有する、
ことを特徴とする請求項１〜６のいずれか１項に記載の報知システム。
【請求項９】
前記選択部は、２以上の選択項目の中から対象機器に対して設定可能な前記複数の選択項目を絞り込んで提示する、
ことを特徴とする請求項８に記載の報知システム。
【請求項１０】
前記機器と前記受信部との間で前記状態信号を中継する中継装置を更に備え、
前記受信部は、前記中継装置に対して前記状態信号の送信を要求する、
ことを特徴とする請求項１〜９のいずれか１項に記載の報知システム。
【請求項１１】
状態を表す状態信号を発生する機器の名称を設定するステップと、
前記機器の名称に対応付けて、前記機器の状態信号に応じた報知内容を設定するステップと、を含む、
ことを特徴とする報知内容設定方法。
【請求項１２】
コンピュータに、
状態を表す状態信号を発生する機器の名称を設定するステップと、
前記機器の名称に対応付けて、前記機器の状態信号に応じた報知内容を設定するステップと、を実行させるための
プログラム。
【発明の詳細な説明】
【技術分野】
【０００１】
本発明は、報知システム、報知内容設定方法、及びプログラムに関し、とくに、機器に関する報知を行う報知システム、報知内容設定方法、及びプログラムに関する。
【背景技術】
【０００２】
従来、需要家施設の消費電力量を示す使用量データを、表示装置に表示する電力計量器検針・表示システムが知られている（例えば、特許文献１参照）。
【０００３】
特許文献１に記載の電力計量器検針・表示システムは、電力計量器から送信される消費電力量（電力使用量）に関するデータを、需要家施設（需要家宅）内のパソコン、タブレット、テレビ等の表示装置（屋内表示装置）に表示する。
【先行技術文献】
【特許文献】
【０００４】
【特許文献１】特開２０１４−１３００１５号公報
【発明の概要】
【発明が解決しようとする課題】
【０００５】
上述の電力計量器検針・表示システムでは、表示装置は、需要家施設内の家電製品（機器）毎に測定された消費電力量を表示しているが、機器の状態に応じた報知内容で報知することはできなかった。
【０００６】
本発明の目的は、機器の状態に応じて報知内容を設定できる報知システム、報知内容設定方法、及びプログラムを提供することにある。
【課題を解決するための手段】
【０００７】
本発明の一態様の報知システムは、受信部と、設定部と、出力部と、を備える。前記受信部は、施設に設けられた機器から機器の状態を表す状態信号を受信する。前記設定部は、前記機器の名称と前記機器の前記状態信号に応じた報知内容とを対応付けて設定する。前記出力部は、前記受信部によって受信された前記状態信号に対応付けられた前記報知内容を報知部に出力する。
【０００８】
本発明の一態様の報知内容設定方法は、状態を表す状態信号を発生する機器の名称を設定するステップと、前記機器の名称に対応付けて、前記機器の状態信号に応じた報知内容を設定するステップと、を含む。
【０００９】
本発明の一態様のプログラムは、状態を表す状態信号を発生する機器の名称を設定するステップと、前記機器の名称に対応付けて、前記機器の状態信号に応じた報知内容を設定するステップとを、コンピュータに実行させるためのプログラムである。
【発明の効果】
【００１０】
本発明によれば、機器の状態に応じて報知内容を設定できる。
【図面の簡単な説明】
【００１１】
【図１】図１は、本発明の一実施形態に係る報知システムのシステム構成図である。
【図２】図２は、同上の報知システムのコントローラのブロック図である。
【図３】図３は、同上の報知システムの中継装置のブロック図である。
【図４】図４は、同上の報知システムのモニタ装置のブロック図である。
【発明を実施するための形態】
【００１２】
以下に説明する実施形態及び変形例は本発明の一例に過ぎず、本発明は、実施形態及び変形例に限定されることはなく、この実施形態及び変形例以外であっても、本発明に係る技術的思想を逸脱しない範囲であれば、設計などに応じて種々の変更が可能である。
【００１３】
（実施形態）
（１）概要
図１は、本実施形態の報知システム１が適用されたＨＥＭＳ（Home Energy Management System）のシステム構成図である。
【００１４】
本実施形態の報知システム１は、受信部及び出力部の機能を有するコントローラ１０と、設定部の機能を有するモニタ装置４０とを備える。コントローラ１０は、施設１００に設けられた複数のセンサ３０から機器の状態を表す状態信号を受信する。設定部として機能するモニタ装置４０は、複数のセンサ３０の各々について、センサ３０の名称と、センサ３０の状態信号に応じた報知内容とを対応付けて設定する。コントローラ１０がセンサ３０から状態信号を受信すると、出力部として機能するコントローラ１０は、センサ３０から受信した状態信号に対応付けられた報知内容を報知部（モニタ装置４０など）に出力する。
【００１５】
このように、設定部となるモニタ装置４０は、センサ３０の名称と、センサ３０の状態信号に応じた報知内容とを対応付けて設定しているので、出力部となるコントローラ１０は、センサ３０の状態に応じた報知内容を報知部（モニタ装置４０など）に出力することができる。ここにおいて、「機器の状態」とは、機器自体の動作状態でもよいし、機器がセンサの場合は検知対象の状態をセンサが検知している状態であってもよい。センサが、窓や扉の開閉を検知するセンサの場合は、検知対象（窓、扉）の状態（開状態、閉状態）をセンサが検知している状態を意味する。
【００１６】
（２）詳細
（２．１）システム構成
以下、実施形態に係る報知システム１について図面を参照して説明する。
【００１７】
報知システム１は、コントローラ１０と、中継装置２０と、モニタ装置４０とを備えている。本実施形態の報知システム１はＨＥＭＳに適用されている。
【００１８】
ＨＥＭＳは、例えば戸建て住宅のような施設１００内で使用される電力を管理する。ＨＥＭＳは、施設１００での資源の消費量を管理する機能を有しており、電力以外にもガス、水、熱などの資源の消費量を管理することができる。施設１００は、供給事業者から資源が供給される施設であり、本実施形態では例えば戸建て住宅である。なお、施設１００は、戸建て住宅に限定されず、集合住宅の住戸でもよいし、ビル、事業所、工場、アミューズメント施設、店舗などの住宅以外の建物でもよい。
【００１９】
施設１００には分電盤５０が設置されている。分電盤５０は、主幹ブレーカ５１と、複数の分岐ブレーカ５２とをキャビネットの内部に備えている。主幹ブレーカ５１は、商用交流電源（例えばＡＣ１００Ｖ／２００Ｖ、５０／６０Ｈｚの交流電源）のような系統電源２００に電気的に接続されている。複数の分岐ブレーカ５２は、主幹ブレーカ５１の二次側の幹線５３に電気的に接続されている。複数の分岐ブレーカ５２の二次側の分岐回路５４には、エネルギーを消費する負荷機器が接続されている。
【００２０】
ここでいう「分岐回路」は、複数の分岐ブレーカ５２にて幹線５３から分岐された各回路を意味する。「分岐回路」には、分岐ブレーカ５２に接続される配線、照明器具や調理家電等の負荷機器、コンセント（アウトレット）、壁スイッチなどを含んでいる。このような分岐回路は、本実施形態のように住宅からなる施設１００においては、たとえばリビング、寝室、玄関、トイレ、子供部屋、キッチン等の部屋ごと、かつ照明器具、調理家電、エアコン（エアーコンディショナ）等の負荷機器の種類ごとに設けられる。図１では、分岐回路５４に接続される負荷機器として、電気洗濯機７１、エアコン７２、電動シャッタ７３が例示されている。ここにおいて、負荷機器には、ECHONET Lite（登録商標）規格に準拠した通信インタフェースを有する負荷機器があり、例えばエアコン７２、電動シャッタ７３はECHONET Lite（登録商標）規格に準拠した通信インタフェースを有している。したがって、エアコン７２、電動シャッタ７３はＨＥＭＳのコントローラ１０と通信可能であり、コントローラ１０は、エアコン７２、電動シャッタ７３から動作状態を示す動作状態信号を受信することができる。なお、分岐回路５４に接続される負荷機器は電気洗濯機７１、エアコン７２、電動シャッタ７３に限定されず、電力の供給を受けて動作する電気機器であればよい。
【００２１】
また、分電盤５０は、計測ユニット６１と、電流センサ６２，６３と、通信アダプタ６４とを、キャビネットの内部に更に備えている。
【００２２】
電流センサ６２は、主幹ブレーカ５１の一次側に設けられ、幹線を流れる電流の値を計測する。電流センサ６３は、複数の分岐ブレーカ５２に対応して設けられ、複数の分岐回路５４に流れる電流の値をそれぞれ計測する。
【００２３】
計測ユニット６１は、電流センサ６２，６３の出力を用いて、幹線および複数の分岐回路５４の各々について、消費電力と消費電力量との少なくとも一方を消費データとして計測する。なお、計測ユニット６１によって計測される幹線の消費電力および消費電力量は、需要家施設５全体での総消費電力および総消費電力量に相当する。
【００２４】
通信アダプタ６４は、計測ユニット６１で計測された消費データを、コントローラ１０へ送信する。なお、コントローラ１０は、ルータ８１を介してネットワーク８２に接続されている。
【００２５】
コントローラ１０は、ＨＥＭＳのコントローラである。コントローラ１０は、計測ユニット６１によって計測された消費データをもとに、施設１００内で消費される電力を管理し、モニタ装置４０に施設１００内でのエネルギー（電力）の使用状況を表示する。コントローラ１０は、図２に示すように、制御部１１と、第１通信部１２と、第２通信部１３と、記憶部１４とを備える。
【００２６】
制御部１１は、例えばマイクロコンピュータを有している。マイクロコンピュータのメモリに記録されたプログラムをＣＰＵ（Central Processing Unit）で実行することによって、各種の機能が実現される。
【００２７】
第１通信部１２は、中継装置２０、通信アダプタ６４などと無線通信するための通信インタフェースである。第１通信部１２は、例えば、無線局の免許が不要な小電力無線の通信インターフェイスである。この種の小電力無線については、用途などに応じて使用する周波数帯域、空中線電力などの仕様が各国で規定されている。例えば、日本国においては、９２０ＭＨｚ帯の電波を使用する小電力無線（特定小電力無線）が規定されており、日本の電波法による免許を受けることなく使用できる。
【００２８】
第２通信部１３は、例えばイーサネット（登録商標）規格に準拠した通信インタフェースである。第２通信部１３は、ルータ８１を介してモニタ装置４０と通信可能である。ルータ８１はブロードバンドルータであり、例えばＷｉ−Ｆｉ（登録商標）規格に準拠した無線ＬＡＮの通信インタフェースを有している。したがって、第２通信部１３はルータ８１及びネットワーク８２を介してスマートフォンなどの携帯端末９０Ａと通信可能である。また、第２通信部１３は、ルータ８１を介して、Ｗｉ−Ｆｉ（登録商標）規格に準拠した近距離無線通信の通信インタフェースを有するスマートフォンなどの携帯端末９０Ｂと通信可能である。
【００２９】
記憶部１４は、ＲＯＭ（Read Only Memory）、ＲＡＭ（Random Access Memory）、又はＥＥＰＲＯＭ（Electrically Erasable Programmable Read Only Memory）などから選択されるデバイスで構成される。記憶部１４は、モニタ装置４０によって設定された報知内容などを記憶する。
【００３０】
中継装置２０は、複数のセンサ３０とコントローラ１０との間で状態信号を中継する機能を有している。中継装置２０は、図３に示すように、制御部２１と、複数の入力ポート２２１，２２２，２２３，…，２２ｎ（ｎは４以上の整数）と、無線通信部２３とを備えている。
【００３１】
制御部２１は、例えばマイクロコンピュータを有している。マイクロコンピュータのメモリに記録されたプログラムをＣＰＵで実行することによって、各種の機能が実現される。
【００３２】
複数の入力ポート２２１，２２２，２２３，…，２２ｎの各々にはセンサ３０が接続されている。複数のセンサ３０の各々は出力用の接点を有しており、複数の入力ポート２２１，２２２，２２３，…，２２ｎの各々にはセンサ３０から接点信号が入力される。
【００３３】
無線通信部２３は、コントローラ１０と無線通信するための通信インタフェースである。無線通信部２３の通信方式は、コントローラ１０の第１通信部１２の通信方式と同様であり、その説明は省略する。
【００３４】
モニタ装置４０は、センサ３０の名称とセンサ３０の状態信号に応じた報知内容とを対応付けて設定する設定部の機能を有する。また、モニタ装置４０は、コントローラ１０から入力される報知内容を報知する報知部としても機能する。
【００３５】
モニタ装置４０は、図４に示すように、制御部４１と、入力部４２と、表示部４３と、通信部４４と、記憶部４５とを備えている。
【００３６】
制御部４１は、例えばマイクロコンピュータを有している。マイクロコンピュータのメモリに記録されたプログラムをＣＰＵで実行することによって、各種の機能が実現される。
【００３７】
入力部４２と表示部４３とは、例えば、タッチパネルで構成されている。
【００３８】
表示部４３は、例えば、タッチパネルを構成する液晶ディスプレイである。表示部４３の表示内容は制御部４１によって制御される。
【００３９】
入力部４２は、液晶ディスプレイの表面に設けられたタッチパッドのような入力装置である。この種の入力装置には、静電容量方式の入力装置や、感圧式の入力装置がある。
【００４０】
通信部４４は、コントローラ１０とルータ８１経由で通信するための通信インタフェースである。通信部４４の通信方式は、コントローラ１０の第２通信部１３の通信方式と同様であり、その説明は省略する。
【００４１】
記憶部４５は、ＲＯＭ、ＲＡＭ、又はＥＥＰＲＯＭなどから選択されるデバイスで構成される。記憶部４５は、入力部４２によって入力された報知内容などを記憶する。
【００４２】
複数のセンサ３０の各々は、検知対象の状態に応じた状態信号を発生する。センサ３０は出力用の接点を有しており、出力用の接点が検知対象の状態に応じてオン又はオフになる。複数のセンサ３０は窓センサと人感センサとを少なくとも含む。窓センサは、施設１００に設けられた窓の開閉を検知するマグネットセンサである。人感センサは、例えば施設１００内の部屋又は施設１００の外側で人の存否を検知する熱線式のセンサである。
【００４３】
本実施形態では、入力ポート２２１〜２２３にはセンサ３０として窓センサが接続され、入力ポート２２ｎにはセンサ３０として人感センサが接続されている場合を想定する。入力ポート２２１，２２２に接続されたセンサ３０（窓センサ）はリビングの窓に設けられ、入力ポート２２３に接続されたセンサ３０（窓センサ）は洋室１の窓に設けられている。また、入力ポート２２ｎに接続されたセンサ３０（人感センサ）は、リビングに設けられ、リビングにおいて人の存否を検知する。
【００４４】
（２．２）動作説明
（２．２．１）設定動作の説明
本実施形態の報知システム１により報知内容を設定する動作について説明する。
【００４５】
本実施形態の報知システム１では、ユーザは、例えばＨＥＭＳのモニタ装置４０を用いて報知内容を設定することができる。なお、中継装置２０の入力ポート２２１〜２２ｎにどのようなセンサ３０が接続されるかをユーザが把握している状態で、ユーザが、各センサ３０の状態信号に応じた報知内容を設定する場合を想定して説明する。
【００４６】
ユーザが、モニタ装置４０の入力部４２を用いて報知内容の設定を開始する開始操作を行うと、報知内容の設定を開始する開始命令が入力部４２から制御部４１に入力される。制御部４１は、入力部４２から開始命令が入力されると、報知内容の設定を行うための入力画面を表示部４３に表示させる。
【００４７】
表示部４３が入力画面を表示すると、ユーザは、入力部４２を用いて、入力ポート２２１〜２２ｎに接続されたセンサ３０の中から、設定対象のセンサ３０を選択する操作を行う。設定対象のセンサ３０が選択されると、ユーザは、入力部４２を用いて、センサ３０の名称と、センサ３０の状態信号に応じた報知内容とを含む設定情報を入力する。
【００４８】
入力部４２を用いた設定情報の入力方法には２つの方法がある。２つの方法は、入力部４２を用いて報知内容を文字で入力する方法と、表示部４３に表示された複数の選択項目の中から入力部４２を用いて所望の報知内容を選択する方法と、である。ここで、入力部４２を用いて報知内容を文字で入力する場合は入力部４２が文字入力部として機能し、入力部４２を用いて複数の選択項目から所望の報知内容を選択する場合は入力部４２が選択部として機能する。
【００４９】
なお、モニタ装置４０の制御部４１は、表示部４３に複数の選択項目を表示させる場合に、２以上の選択項目から対象機器（センサ３０）に対して設定可能な複数の選択項目を絞り込んで表示してもよい。モニタ装置４０には報知内容としてセンサ３０の種類（窓センサ、人感センサなど）に応じた２以上の選択項目が予め登録されている。例えば制御部４１が、窓センサの状態信号に応じた報知内容を表示部４３に表示させる場合は、窓センサに関する報知内容として使用可能なものを絞り込んで表示部４３に表示させればよく、不適切な報知内容が誤って選択される可能性を低減できる。
【００５０】
モニタ装置４０の制御部４１は、設定対象のセンサ３０について入力された名称と報知内容とを含む設定情報を通信部４４からコントローラ１０に送信させる。コントローラ１０では、第２通信部１３がモニタ装置４０から設定情報を受信すると、制御部１１が、設定情報を記憶部１４に記憶する。ここで、記憶部１４には、中継装置２０の入力ポート２２１〜２２ｎに接続された複数のセンサ３０の各々について、センサ３０の名称と、センサ３０の状態信号に応じた報知内容とが対応付けて記憶される。
【００５１】
以下の表１は、複数のセンサ３０の各々について、センサ３０が接続されている入力ポートの情報に対応付けて、センサ３０の名称と、状態信号に応じた報知内容とが設定された設定例を示している。本実施形態では、センサ３０の状態信号として、接点がオンの状態である第１状態と、接点がオフの状態である第２状態とがあり、第１状態での報知内容（第１報知内容）と第２状態での報知内容（第２報知内容）とが設定されている。ここで、センサ３０が窓センサの場合、第１状態（接点がオンの状態）は窓が開いている状態を示し、第２状態（接点がオフの状態）は窓が閉じている状態を示している。センサ３０が人感センサの場合、第１状態（接点がオンの状態）は人を検知した状態を示し、第２状態（接点がオフの状態）は人を検知していない状態を示している。
【００５２】
【表１】
2017175531.tif 000003
【００５３】
ユーザが、報知内容の設定を終了する場合、モニタ装置４０の入力部４２を用いて報知内容の設定を終了する終了操作を行えばよい。ユーザがモニタ装置４０の入力部４２を用いて終了操作を行うと、制御部４１は、報知内容の設定が終了したことを通知する通知信号を、通信部４４からコントローラ１０に送信させる。また、制御部４１は、表示部４３に入力画面の表示を終了させ、センサ３０の状態に応じた報知内容を表示する報知画面を表示部４３に表示させる。
【００５４】
コントローラ１０では、第２通信部１３がモニタ装置４０から送信された通知信号をルータ８１経由で受信すると、記憶部１４に記憶させた設定情報にしたがって報知動作を行う。
【００５５】
（２．２．２）報知動作の説明
本実施形態の報知システム１による報知動作について説明する。なお、コントローラ１０には、複数のセンサ３０のそれぞれについて、センサ３０の状態信号に応じた報知内容が設定されているものとする。
【００５６】
複数のセンサ３０のそれぞれは、対象の状態が変化すると、状態信号が変化する。中継装置２０の制御部２１は、入力ポート２１１〜２１ｎに接続された複数のセンサ３０の状態信号を常時監視している。制御部２１は、いずれかのセンサ３０の状態信号が変化すると、当該センサ３０が接続されている入力ポートの情報と当該センサ３０の状態信号とを、無線通信部２３からコントローラ１０に送信させる。コントローラ１０では、第１通信部１２がセンサ３０の入力ポートの情報と状態信号とを受信すると、制御部１１は、第１通信部１２が受信したセンサ３０の入力ポートの情報と状態信号とに対応した報知内容を記憶部１４から読み出す。制御部１１は、記憶部１４から読み出した報知内容を第２通信部１３からルータ８１経由でモニタ装置４０に出力させる。モニタ装置４０では、通信部４４がコントローラ１０から報知内容を受信すると、制御部４１が表示部４３に報知内容を表示させる。これにより、報知システム１は、センサ３０の検知状態に応じた報知内容をユーザに報知することができる。
【００５７】
なお、コントローラ１０の制御部１１は、第１通信部１２から中継装置２０に状態信号の送信を要求する要求信号を定期又は不定期に送信してもよい。中継装置２０の無線通信部２３がコントローラ１０の要求信号を受信すると、制御部２１は、入力ポート２２１〜２２ｎに接続されているセンサ３０の状態信号を無線通信部２３からコントローラ１０に送信させる。コントローラ１０の第１通信部１２が中継装置２０から各センサ３０の状態信号を受信すると、制御部１１は、各センサ３０の状態信号をもとに記憶部１４から報知内容を読み取り、報知内容を第２通信部１３からルータ８１経由でモニタ装置４０に出力させる。モニタ装置４０では、通信部４４がコントローラ１０から報知内容を受信すると、制御部４１が表示部４３に報知内容を表示させる。これにより、コントローラ１０は、中継装置２０から送信させた各センサ３０の状態信号に基づいて、モニタ装置４０の表示を更新することができる。
【００５８】
（３）変形例
以下に、上記実施形態の変形例に係る報知システムを列記する。なお、以下に説明する変形例の各構成は、上記実施形態で説明した各構成と適宜組み合わせて適用可能である。
【００５９】
上記の実施形態の報知システム１では、機器として窓センサ、人感センサなどのセンサ３０を例示しているが、機器は扉センサなどのセンサでもよい。また、機器は、状態を表す状態信号を発生する機器であれば、センサ以外の機器でもよい。
【００６０】
上記の実施形態の報知システム１において、設定部であるモニタ装置４０は、センサ３０（機器）の名称と報知内容とに対応付けて、センサ３０の設置場所に関する場所情報を設定してもよい。表２は、センサ３０の名称と報知内容とに対応付けて場所情報を設定した設定例である。センサ３０の場所情報をもとに、センサ３０の報知内容を所望の内容に設定できる。また、ユーザは、センサ３０の場所情報から、設定対象のセンサ３０が設置されている場所を把握でき、報知内容を設定する作業が容易になる。なお、設定部であるモニタ装置４０は、センサ３０（機器）の名称と報知内容とに対応付けて、機器が接続されている分岐回路５４の回路情報を設定してもよい。分岐回路５４は施設１００内の部屋ごとに設けられているので、分岐回路５４の回路情報から機器の設置場所を推定できる。したがって、ユーザは、機器が接続されている分岐回路５４の回路情報から、設定対象のセンサ３０が設置されている場所を把握でき、報知内容を設定する作業が容易になる。ここにおいて、機器の場所情報及び回路情報は、計測ユニット６１が電力計測を行うために使用される情報と共通の情報である。コントローラ１０に場所情報及び回路情報が入力されていれば、設定部（モニタ装置４０）は、コントローラ１０に既に入力されている場所情報及び回路情報を流用して、設定することができる。なお、センサ３０が窓センサの場合、窓センサは電池駆動であり、分記回路５４には接続されていないため、窓センサには場所情報が設定されればよい。
【００６１】
【表２】
2017175531.tif 000004
【００６２】
ここで、設定部（モニタ装置４０）は、機器の名称と対応付けて、場所の情報を含む報知内容を設定してもよく、ユーザが報知内容に関連する場所を把握しやすくなる。例えば、リビングの窓に設置された窓センサに対応して、「リビングの窓が開いています」や、「リビングの窓が閉まっています」や、「リビングの窓を閉めて下さい」のように場所の情報を含む報知内容が設定されていてもよい。ここにおいて、「場所の情報」とは、機器の設置場所に関する情報でもよいし、機器の状態に連動して動かすようにユーザに提案する設備（電気機器など）の設置場所に関する情報でもよい。
【００６３】
また、上記の実施形態の報知システム１において、設定部であるモニタ装置４０は、複数のセンサ３０のうち設定対象のセンサ３０の状態信号に対応する報知内容として、設定対象以外のセンサ３０の状態信号に応じた複数の報知内容を設定してもよい（表３参照）。例えば、入力ポート２２１，２２２のそれぞれに窓センサが接続されている場合に、入力ポート２２１に接続された窓センサを第１の窓センサと記載し、入力ポート２２２に接続された窓センサを第２の窓センサと記載する。ここで、リビングにある２つの窓のうち、一方の窓に第１の窓センサが設けられ、他方の窓に第２の窓センサが設けられている場合、一方の窓センサの状態信号に応じた報知内容を、他方の窓センサの状態信号に応じて変化させてもよい。表３の設定例では、ポート２２１に接続された第１の窓センサがオン（窓が開）で、ポート２２１に接続された第２の窓センサがオフ（窓が閉）の場合、モニタ装置４０は、効率よく換気を行えるように、「窓を開けて下さい」との報知内容を設定している。このように、モニタ装置４０が、設定対象のセンサ３０の状態信号に対応する報知内容として、設定対象以外のセンサ３０の状態信号に応じた報知内容を設定することで、より細かい報知が行える。
【００６４】
【表３】
2017175531.tif 000005
【００６５】
また、上記の実施形態の報知システム１において、設定部であるモニタ装置４０は、機器（センサ３０）の状態信号に対応する報知内容として、負荷機器（エアコン７２、電動シャッタ７３など）の動作状態信号に応じて複数の報知内容を設定してもよい（表４参照）。  例えば、入力ポート２２１，２２２のそれぞれに窓センサが接続されている場合に、入力ポート２２１に接続された窓センサを第１の窓センサと記載し、入力ポート２２２に接続された窓センサを第２の窓センサと記載する。ここで、リビングにある２つの窓のうち、一方の窓に第１の窓センサが設けられ、他方の窓に第２の窓センサが設けられており、コントローラ１０が、リビングに設置されたエアコン７２から動作状態を示す動作状態信号を取得している場合を想定する。表４の設定例では、ポート２２１，２２２に接続された窓センサがオン（窓が開）で、エアコン７２が動いている場合、モニタ装置４０は「窓を閉めて下さい」との報知内容を設定している。なお、ポート２２１，２２２に接続された窓センサがオン（窓が開）で、エアコン７２が動いている場合、「リビングの窓が開いているので洋室の窓も開けませんか」や「リビングの窓が開いているのでリビングのエアコンを消しませんか」という場所や提案内容を含めた報知内容を設定してもよい。また、ポート２２ｎに接続された人感センサがリビングで人を検知していない状態で、エアコン７２が運転している場合、モニタ装置４０は「エアコンを消して下さい」との報知内容を設定している。このように、モニタ装置４０が、センサ３０の状態信号に対応する報知内容として、負荷機器の動作状態信号に応じて報知内容を設定できるから、報知部の報知内容をより細かく設定できる。したがって、報知システム１は、ユーザに報知する情報の種類を増やすことができる。
【００６６】
【表４】
2017175531.tif 000006
【００６７】
このように、設定部（モニタ装置４０）は、機器の名称と対応付けて、提案内容を含む報知内容を設定してもよく、ユーザが報知内容に含まれる提案内容をもとに行動を決定しやすくなる。提案内容は、例えば、機器の状態に連動して施設１００内の設備（電気機器など）を動かすようにユーザに提案する内容である。提案内容は、機器の状態に連動して動かすようにユーザに提案する設備（電気機器など）の設置場所に関する情報を含んでもよい。
【００６８】
また、上記の実施形態の報知システム１は、機器（センサ３０）と受信部（コントローラ１０）との間で状態信号を中継する中継装置２０を備えているが、中継装置２０は必須の構成ではない。受信部（コントローラ１０）が複数の機器（センサ３０）から状態信号を直接受信してもよい。
【００６９】
上記の実施形態の報知システム１では、設定部がＨＥＭＳのモニタ装置４０で構成されているが、設定部は、報知内容を設定するためのプログラム（アプリ）を実行するスマートフォンなどの携帯端末９０Ａ，９０Ｂで構成されてもよい。
【００７０】
また、上記の実施形態の報知システム１において、コントローラ１０とモニタ装置４０とが一体であってもよく、コントローラ１０とモニタ装置４０とが１つの装置として構成されていてもよい。また、報知システム１の各機能（受信部、設定部、出力部）が、１つの装置に備えられてもよいし、複数の装置に分散して備えられてもよい。
【００７１】
また、上記の実施形態の報知システム１では、報知部がコントローラ１０とは別体のモニタ装置４０で構成されているが、報知部はコントローラ１０と一体であってもよい。また、報知部は、出力部から入力される報知内容を報知する機能を実現するプログラム（アプリ）を実行するスマートフォンなどの汎用の端末であってもよい。
【００７２】
（４）効果
上述のように、本実施形態の報知システム１は、受信部（コントローラ１０）と、設定部（モニタ装置４０）と、出力部（コントローラ１０）と、を備えている。受信部は、施設１００に設けられた機器（センサ３０）から状態を表す状態信号を受信する。設定部は、機器の名称と機器の状態信号に応じた報知内容とを対応付けて設定する。出力部は、受信部によって受信された状態信号に対応付けられた報知内容を報知部（モニタ装置４０）に出力する。
【００７３】
設定部は、機器の名称と、機器の状態信号に応じた報知内容とを対応付けて設定しているので、出力部は、機器の状態に応じた報知内容を報知部に出力することができる。
【００７４】
また、報知システム１の報知内容設定方法は、状態を表す状態信号を発生する機器（センサ３０）の名称を設定するステップと、機器の名称に対応付けて、機器の状態信号に応じた報知内容を設定するステップと、を含む。
【００７５】
これにより、報知システム１は、機器の状態信号に応じて設定された報知内容で、報知することができる。
【００７６】
また、本実施形態のプログラムは、コンピュータに、状態を表す状態信号を発生する機器（センサ３０）の名称を設定するステップと、機器の名称に対応付けて、機器の状態信号に応じた報知内容を設定するステップと、を実行させるためのプログラムである。
【００７７】
コンピュータがこのプログラムを実行することによって、機器の状態信号に応じて設定された報知内容で、報知することができるようになる。なお、このプログラムは予めメモリに記憶されていてもよいし、電気通信回線を介して、あるいは記録媒体に記憶された状態で提供されてもよい。
【００７８】
本実施形態の報知システム１において、状態信号は、第１状態を示す第１状態信号と、第２状態を示す第２状態信号と、を含むことが好ましい。この場合、設定部（モニタ装置４０）は、第１状態信号に応じた第１報知内容と、第２状態信号に応じた第２報知内容とを、それぞれ設定すればよい。
【００７９】
このように、設定部が、機器が第１状態信号を発生する場合と機器が第２状態信号を発生する場合とでそれぞれ報知内容を設定できるから、報知部による報知内容をより細かく設定できる。したがって、報知システムは、ユーザに報知する情報の種類を増やすことができる。
【００８０】
本実施形態の報知システム１において、施設１００には機器（センサ３０）が複数設けられていてもよい。この場合、設定部（モニタ装置４０）は、複数の機器のうち設定対象の機器の状態信号に対応する報知内容として、複数の機器のうち設定対象以外の機器の状態信号に応じた報知内容を設定してもよい。
【００８１】
このように、設定部が、設定対象の機器の状態信号に対応する報知内容として、他の機器の状態信号に応じた報知内容を設定できるから、報知部による報知内容をより細かく設定できる。したがって、報知システム１は、ユーザに報知する情報の種類を増やすことができる。
【００８２】
本実施形態の報知システム１において、施設１００には資源を消費する負荷機器（例えばエアコン７２、電動シャッタ７３など）が設けられてもよい。受信部（コントローラ１０）は、負荷機器の動作状態を示す動作状態信号を取得してもよい。設定部（モニタ装置４０）は、機器の状態信号に対応する報知内容として、負荷機器の動作状態信号に応じた報知内容を設定してもよい。
【００８３】
このように、設定部が、機器の状態信号に対応する報知内容として、負荷機器の動作状態信号に応じた報知内容を設定できるから、報知部による報知内容をより細かく設定できる。したがって、報知システム１は、ユーザに報知する情報の種類を増やすことができる。
【００８４】
本実施形態の報知システム１において、施設１００には電力を分配する複数の分岐回路５４が設けられてもよい。設定部（モニタ装置４０）は、複数の分岐回路５４のうち、機器（センサ３０）が接続されている分岐回路５４に関する回路情報と、機器の設置場所に関する場所情報とのうちの少なくとも１つを、機器の名称と報知内容とに対応付けて設定すればよい。
【００８５】
分岐回路は施設１００の部屋ごとに設けられているので、回路情報は機器が設置されている場所に関連する。したがって、設定部は、機器の設置されている場所に関連した情報（回路情報又は場所情報）と対応付けて機器の名称と報知内容とを設定することができる。
【００８６】
本実施形態の報知システム１において、設定部（モニタ装置４０）は回路情報と場所情報とのうちの少なくとも１つは、電力計測のために入力された情報を使用してもよい。
【００８７】
設定部が、回路情報と場所情報とのうちの少なく１つに、電力計測のために入力された情報を使用すれば、回路情報又は場所情報を入力する手間を削減できる。
【００８８】
本実施形態の報知システム１において、設定部（モニタ装置４０）は、報知内容を文字で入力するために用いられる文字入力部（入力部４２）を有してもよい。
【００８９】
ユーザは、文字入力部を用いて所望の報知内容を設定できる。
【００９０】
また、本実施形態の報知システム１において、設定部（モニタ装置４０）は、提示された複数の選択項目の中から報知内容を選択するために用いられる選択部（入力部４２）を有してもよい。
【００９１】
ユーザは、選択部を用いて複数の選択項目の中から所望の報知内容を選択できるので、報知内容を入力する手間を少なくできる。
【００９２】
ここで、本実施形態の報知システム１において、設定部（モニタ装置４０）は、２以上の選択項目の中から対象機器に対して設定可能な複数の選択項目を絞り込んで提示してもよい。
【００９３】
このように、設定部は、２以上の選択項目の中から設定可能な複数の選択項目を絞り込んで提示しているので、設定ミスが減少し、また報知内容を選択する手間がさらに低減される。
【００９４】
本実施形態の報知システム１は、機器（センサ３０）と受信部（コントローラ１０）との間で状態信号を中継する中継装置２０を更に備えてもよく、受信部は、中継装置２０に対して状態信号の送信を要求すればよい。
【００９５】
受信部は、中継装置２０に対して状態信号の送信を要求することで、中継装置２０に接続された機器から状態信号を取得することができる。
【符号の説明】
【００９６】
１  報知システム
１０  コントローラ（受信部、出力部）
２０  中継装置
３０  センサ（機器）
４０  モニタ装置（設定部）
５４  分岐回路
７２  エアコン（負荷機器）
７３  電動シャッタ（負荷機器）
９０Ａ，９０Ｂ  携帯端末（設定部、報知部）
１００  施設
【図１】
2017175531.tif 000007
【図２】
2017175531.tif 000008
【図３】
2017175531.tif 000009
【図４】
2017175531.tif 000010